(57)【要約】【課題】携帯電話機を机等の被載置物に置いて使用する場合で、アプリケーションを快適に使用することができる携帯端末装置及び携帯端末装置の入力操作方法・表示制御方法を提供する。【解決手段】水平センサ１０１で携帯電話機１の下筐体１Ａの水平状態を検出し、また照度センサ１０２で携帯電話機１の下筐体１Ａの机等の被載置物への接触を検出し、また開閉センサ１０３で携帯電話機１の上筐体１Ｂの開きを検出し、また現在動作中のアプリケーションを読み取り、前述の各検出結果及び動作中のアプリケーションに基づいて、携帯電話機１の操作方法及び表示内容を切替える。これにより、携帯電話機１を机等の被載置物上に置いて使用するデスクトップモード時の操作性及び表示の見やすさの低下を防止できる。【選択図】図１
2010062849.tif 000002
【特許請求の範囲】
【請求項１】
入力指示を行う操作手段と、
筐体が被載置物上に置かれたことを検出する検出手段と、
前記検出手段の検出結果と、現在動作中のアプリケーションとに基づいて、前記操作手段の制御を切替える切替手段と、を備えた携帯端末装置。
【請求項２】
各種情報を表示する表示手段と、
筐体が被載置物上に置かれたことを検出する検出手段と、
前記検出手段の検出結果と、現在動作中のアプリケーションとに基づいて、前記表示手段の制御を切替える切替手段と、を備えた携帯端末装置。
【請求項３】
前記検出手段は、筐体が水平状態であるか否かを検出する水平センサと、前記筐体のいずれかの面が前記被載置物に接触しているか否かを検出する接触センサとを備え、
前記検出手段は、前記水平センサが水平状態であることを検出し、前記接触センサが所定時間継続して接触していることを検出したとき、前記筐体が被載置物上に置かれたことを検出する請求項１または２記載の携帯端末装置。
【請求項４】
前記筐体は、前記表示手段を備えた上筐体と、前記操作手段を備えた下筐体とからなり、前記上筐体と前記下筐体とがヒンジを介して回動自在に接続されており、
前記検出手段は、前記水平センサにより前記下筐体が水平であることが検出され、前記接触センサにより前記下筐体が所定時間継続して接触していることが検出されたとき、前記筐体が被載置物上に置かれたことを検出する請求項３記載の携帯端末装置。
【請求項５】
前記上筐体と前記下筐体とが折り畳まれた状態のとき、前記表示手段と前記操作手段とが対向する面に配置されており、
前記検出手段は、前記上筐体と前記下筐体との開閉状態を検出する開閉センサを備え、
前記検出手段は、前記開閉センサにより、前記上筐体と前記下筐体とが開いていることが検出されたとき、前記筐体が被載置物上に置かれたことを検出する請求項４記載の携帯端末装置。
【請求項６】
前記操作手段は、キーパッド付きのタッチパッドであり、
前記検出手段は、前記筐体が把持されたことを検出し、
前記切替手段は、前記筐体が被載置物上に置かれたときは、前記操作手段をタッチパッドとして動作させ、前記筐体が把持されたときは、前記操作手段をキーパッドとして動作させるよう制御を切替える請求項１記載の携帯端末装置。
【請求項７】
前記筐体の側面に配置される操作ボタンを備え、
前記切替手段は、前記筐体が被載置物上に置かれたときは、前記操作ボタンの操作を前記タッチパッドでの操作に置き換える請求項６に記載の携帯端末装置。
【請求項８】
前記切替手段は、前記筐体が被載置物上に置かれたときは、前記タッチパッドでの操作を補助するポインタを前記表示手段に表示する請求項２記載の携帯端末装置。
【請求項９】
前記切替手段は、前記筐体が被載置物上に置かれた状態で、特定のアプリケーションが起動されたとき、前記表示手段を拡大表示に切替える請求項８記載の携帯端末装置。
【請求項１０】
入力指示を行う操作ステップと、
筐体が被載置物上に置かれたことを検出する検出ステップと、
前記検出ステップでの検出結果と、現在動作中のアプリケーションとに基づいて、前記操作ステップの制御を切替える切替ステップと、を備えた入力操作方法。
【請求項１１】
各種情報を表示する表示ステップと、
筐体が被載置物上に置かれたことを検出する検出ステップと、
前記検出ステップでの検出結果と、現在動作中のアプリケーションとに基づいて、前記表示ステップの制御を切替える切替ステップと、を備えた表示制御方法。
【発明の詳細な説明】
【技術分野】
【０００１】
本発明は、携帯端末装置として、電話機能の他に、テレビ、ビューア、ブラウザなどの各種アプリケーションを実行可能な機能を有する携帯端末装置及び携帯端末装置の入力操作方法・表示制御方法に関する。
【背景技術】
【０００２】
従来、携帯電話機や携帯型のパーソナルコンピュータ（いわゆるパソコン）など小型の情報機器のなかには、持ち方の違い（両手で持ったり、片手で持ったりする）や机などに置いたりするなど、使用の形態に応じて最適な操作や動作を行えるようにしたものがある。
【０００３】
例えば、特許文献１で開示された携帯用通話装置では、ハンズフリー通話時（主に、充電用スタンドに立て掛けた状態で通話を行うとき）には、ハンズフリーの状態を検知することで、送話及び受話信号のゲイン（利得）を切替えるようにしている。
【０００４】
また、特許文献２で開示された情報処理装置では、この情報処理装置を両手で把持したときに指示マーク移動操作部と制御操作部を指の届く位置に配置し、またこの情報処理装置の底面に凸部を配置して、操作キー、指示マーク移動操作部、制御操作部等に対する操作性の向上を図っている。
【０００５】
また、特許文献３で開示された携帯電話機では、本体の裏面に配置する底面接触感知スイッチと、本体が水平方向に置かれていることを検出可能とする水平センサを夫々有し、この携帯電話機が被載置物に接触し、且つ水平方向に置かれたときにバイブレータの作動を停止させて大きな音が生じたり、被載置物から落下したりしないようにしている。
【０００６】
【特許文献１】特開２００７−００５８８１号公報
【特許文献２】特開２００５−３２２２６０号公報
【特許文献３】特開２００４−２７４４３８号公報
【発明の開示】
【発明が解決しようとする課題】
【０００７】
ところで、上述した従来機器においては、操作性の向上や使い勝手の向上を図ったものであり、テレビ（いわゆるワンセグ放送）、静止画や動画、ホームページなどを見たりするアプリケーションを利用する場合に、当該アプリケーションを快適に使用できるものでない。例えば、携帯電話機を机等の被載置物に置いた場合、操作部の表示を斜めから見ることになり見難いが、それを見易くすることはできない。また、操作キーを備えた側の筐体（例えば折り畳み式の携帯電話機では下筐体）を押さえながら操作しないと、携帯電話機がぐらぐらして操作し難いが、押さえることなく操作することはできない。
【０００８】
本発明は、かかる事情に鑑みてなされたもので、机等の被載置物に置いて使用する場合で、アプリケーションを快適に使用することができる携帯端末装置及び携帯端末装置の入力操作方法・表示制御方法を提供することを目的とする。
【課題を解決するための手段】
【０００９】
本発明の携帯端末装置は、入力指示を行う操作手段と、筐体が被載置物上に置かれたことを検出する検出手段と、前記検出手段の検出結果と、現在動作中のアプリケーションとに基づいて、前記操作手段の制御を切替える切替手段と、を備えた構成を有する。
【００１０】
上記構成によれば、携帯端末装置を机等の被載置物上に置いて使用する時の操作性の低下を防止できる。特に、アプリケーションに応じた操作に切替えることで操作性が向上し、また机の上に置いて操作するパソコンなどの装置の操作仕様に類似させることで、慣れた操作例えば人差し指での操作が可能になる。
【００１１】
また、本発明の携帯端末装置は、各種情報を表示する表示手段と、筐体が被載置物上に置かれたことを検出する検出手段と、前記検出手段の検出結果と、現在動作中のアプリケーションとに基づいて、前記表示手段の制御を切替える切替手段と、を備えた構成を有する。
【００１２】
上記構成によれば、携帯端末装置を机等の被載置物上に置いて使用する時の表示の見易さの低下を防止できる。特に、アプリケーションに応じた表示に切替えることで操作性が向上し、また机の上に置いて操作するパソコンなどの装置の表示仕様に類似させることで、慣れた操作例えば人差し指での操作が可能になる。
【００１３】
また、本発明の携帯端末装置は、前記検出手段が、筐体が水平状態であるか否かを検出する水平センサと、前記筐体のいずれかの面が前記被載置物に接触しているか否かを検出する接触センサとを備え、前記検出手段が、前記水平センサが水平状態であることを検出し、前記接触センサが所定時間継続して接触していることを検出したとき、前記筐体が被載置物上に置かれたことを検出する構成を有する。
【００１４】
上記構成によれば、携帯端末装置が机等の被載置物上に置かれたことを検出する精度の向上が図れる。
【００１５】
また、本発明の携帯端末装置は、前記筐体が、前記表示手段を備えた上筐体と、前記操作手段を備えた下筐体とからなり、前記上筐体と前記下筐体とがヒンジを介して回動自在に接続されており、前記検出手段が、前記水平センサにより前記下筐体が水平であることが検出され、前記接触センサにより前記下筐体が所定時間継続して接触していることが検出されたとき、前記筐体が被載置物上に置かれたことを検出する構成を有する。
【００１６】
上記構成によれば、携帯端末装置が机等の被載置物上に置かれたことを検出する精度の向上が図れる。
【００１７】
また、本発明の携帯端末装置は、前記上筐体と前記下筐体とが折り畳まれた状態のとき、前記表示手段と前記操作手段とが対向する面に配置されており、前記検出手段が、前記上筐体と前記下筐体との開閉状態を検出する開閉センサを備え、前記検出手段が、前記開閉センサにより、前記上筐体と前記下筐体とが開いていることが検出されたとき、前記筐体が被載置物上に置かれたことを検出する構成を有する。
【００１８】
上記構成によれば、携帯端末装置が机等の被載置物上に置かれたことを検出する精度の向上が図れる。
【００１９】
また、本発明の携帯端末装置は、前記操作手段が、キーパッド付きのタッチパッドであり、前記検出手段が、前記筐体が把持されたことを検出し、前記切替手段が、前記筐体が被載置物上に置かれたときは、前記操作手段をタッチパッドとして動作させ、前記筐体が把持されたときは、前記操作手段をキーパッドとして動作させるよう制御を切替える構成を有する。
【００２０】
上記構成によれば、携帯端末装置を机等の被載置物上に置いて使用するときの操作性向上が図れる。
【００２１】
また、本発明の携帯端末装置は、前記筐体の側面に配置される操作ボタンを備え、前記切替手段が、前記筐体が被載置物上に置かれたときは、前記操作ボタンの操作を前記タッチパッドでの操作に置き換える構成を有する。
【００２２】
上記構成によれば、携帯端末装置を机等の被載置物上に置いて使用する場合に、操作ボタンが操作し難くなる問題を解決できる。また、タッチパッドでの操作に置き換えることで、タッチパッド上の指の動きすなわち指による操作によって操作することができるので、操作ボタンを意識して操作する場合と比較して操作が非常に楽になる。特に、携帯端末装置を机等の被載置物上に置いた場合、側面配置の操作ボタンのみならず、前面配置の操作ボタンを斜めから見ることになり見難いが、タッチパッドによる操作では、操作ボタンの表示は使用しないため、そのような問題を回避することができる。
【００２３】
また、本発明の携帯端末装置は、前記切替手段が、前記筐体が被載置物上に置かれたときは、前記タッチパッドでの操作を補助するポインタを前記表示手段に表示する構成を有する。
【００２４】
上記構成によれば、タッチパッドでの操作を補助するポインタを携帯端末装置のディスプレイ上に表示することで、さらに操作性向上が図れる。
【００２５】
また、本発明の携帯端末装置は、前記切替手段が、前記筐体が被載置物上に置かれた状態で、特定のアプリケーションが起動されたとき、前記表示手段を拡大表示に切替える構成を有する。
【００２６】
上記構成によれば、表示を見易くすることができる。つまり、携帯端末装置が机等の被載置物上に置かれた状態では、携帯端末装置を手で持っている場合に比べ、視線距離（目とディスプレイとの間の距離）が長くなるが、拡大表示することで見易さが向上する。
【００２７】
また、本発明の入力操作方法は、入力指示を行う操作ステップと、筐体が被載置物上に置かれたことを検出する検出ステップと、前記検出ステップでの検出結果と、現在動作中のアプリケーションとに基づいて、前記操作ステップの制御を切替える切替ステップと、を備えている。
【００２８】
上記方法によれば、携帯端末装置を机等の被載置物上に置いて使用する時の操作性の低下を防止できる。特に、アプリケーションに応じた操作に切替えることで操作性が向上し、また机の上に置いて操作するパソコンなどの装置の操作仕様に類似させることで、慣れた操作例えば人差し指での操作が可能になる。
【００２９】
また、本発明の表示制御方法は、各種情報を表示する表示ステップと、筐体が被載置物上に置かれたことを検出する検出ステップと、前記検出ステップでの検出結果と、現在動作中のアプリケーションとに基づいて、前記表示ステップの制御を切替える切替ステップと、を備えている。
【００３０】
上記方法によれば、携帯端末装置を机等の被載置物上に置いて使用する時の表示の見易さの低下を防止できる。特に、アプリケーションに応じた表示に切替えることで操作性が向上し、また机の上に置いて操作するパソコンなどの装置の表示仕様に類似させることで、慣れた操作例えば人差し指での操作が可能になる。
【発明の効果】
【００３１】
本発明によれば、携帯端末装置を机等の被載置物に置いて使用する場合で、アプリケーションを快適に使用することができる。
【発明を実施するための最良の形態】
【００３２】
以下、本発明を実施するための好適な実施の形態について、図面を参照して詳細に説明する。
【００３３】
図１は、本発明の一実施の形態に係る携帯電話機の概略構成を示すブロック図である。また、図２は、本実施の形態の携帯電話機の正面図である。なお、本実施の形態の携帯電話機は、上筐体と下筐体とがヒンジを介して回動自在に接続された折り畳み式の携帯電話機であり、操作用のボタン類が集中する部分を“下筐体１Ａ”、ディスプレイがある部分を“上筐体１Ｂ”と呼ぶこととする。また、本実施の形態の携帯電話機は通常の通話機能の他に、“ビューア”、“ブラウザ”、“テレビ”などの各種アプリケーションを実行する機能を有している。ビューアは静止画・動画等を「見る」ための視聴用アプリケーションであり、ブラウザはインターネットのホームページを「見る」ための視聴用アプリケーションである。また、テレビはいわゆるワンセグ放送を「見る」ための視聴用アプリケーションである。
【００３４】
図１及び図２において、本実施の形態の携帯電話機１は、無線信号の送受信に用いられるアンテナ２と、無線信号の送受信を行う無線部３と、音声を入力するためのマイク４と、音声を出力するためのスピーカ５と、制御部１１を動作させるための制御プログラムを記憶するメモリ６と、携帯電話機１の動作を示す表示や画像（動画、静止画）を表示する表示部７と、携帯電話機１を操作するための入力を行う操作キー８と、キーパッドとタッチパッド等の入力デバイス９と、携帯電話機１の置き状態を検出するために用いられる状態検出センサ１０と、携帯電話機１の前記各部を制御するための制御部１１と、を備えている。
【００３５】
表示部７は、図２に示すように、ディスプレイ７Ａを有し、制御部１１からの表示データに基づく表示を行う。ディスプレイ７Ａ上の表示画面の下部には所定の動作時にソフトキー４０が表示される。このソフトキー４０には、例えば操作キー８の一部が割り当てられる。ディスプレイ７Ａには、例えばＬＣＤ（Liquid Crystal Display）や有機ＥＬ（Electro Luminescence）が用いられる。操作キー８は、図２に示すように、下筐体１Ａの正面側の入力デバイス９の直上に位置する正面ボタン８Ａや正面に向かって右側面に位置する側面ボタン８Ｂを含む。側面ボタン８Ｂは、例えばチャンネル切替ボタン、ボリュームボタン、録画ボタンなどである。
【００３６】
入力デバイス９は、平板状のセンサを含み、この平板状のセンサと人の指で構成されるコンデンサの静電量の変化で、該指がどの位置に存在するかを検出し、該指の位置に応じた数字や記号（♯、＊）に関連付け、また平板状のセンサの表面をなぞった指の軌跡を画面上のポインタ５０（図２参照）の動作に関連付けるものである。入力デバイス９をキーパッドとして使用する場合は数字や記号（♯、＊）に関連付けられ、タッチパッドとして使用する場合はポインタ５０（図２参照）の動作に関連付けられる。
【００３７】
状態検出センサ１０は、図３に示すように、水平センサ１０１、照度センサ１０２、開閉センサ１０３、加速度センサ１０４を含み、水平センサ１０１は、携帯電話機１の下筐体１Ａが水平になっていることを検出するために用いられる。照度センサ１０２は、接触センサの一例であり、携帯電話機１の下筐体１Ａの底面が机等の何かに触れていることを検出するために用いられる。開閉センサ１０３は、上筐体１Ｂが開いていることを検出するために用いられる。加速度センサ１０４は、人が携帯電話機１を持っていないことを検出するために用いられる。状態検出センサ１０の出力信号は、後述する置き状態検出部１１１に入力される。
【００３８】
図１において、制御部１１は、無線部３を制御したり、マイク４からの音声信号を取り込んだり、音声信号をスピーカ５へ出力したりする以外に、置き状態検出部１１１、操作切替部１１２、表示切替部１１３及びメイン制御部１１４を備えて、携帯電話機１の置き状態を検出して操作方法と表示内容の切替えを行う。置き状態検出部１１１は、状態検出センサ１０の出力信号より携帯電話機１が上筐体１Ｂを開いた状態で下筐体１Ａが机等の被載置物上に水平に置かれていることを検出すると共に、メイン制御部１１４から現在起動中のアプリケーションを読み取る。また、制御部１１は、図示せぬタイマを有しており、携帯電話機１が机等の被載置物上に置かれたときの経過時間の計測等に使用する。なお、本実施の形態においては、携帯電話機１を机等の被載置物上において使用する場合のモードをデスクトップモードと呼ぶこととする。
【００３９】
図４に携帯電話機１が上筐体１Ｂを開いた状態で下筐体１Ａが机等の被載置物上に水平に置かれている状態を示す。置き状態検出部１１１は、携帯電話機１が上筐体１Ｂを開いた状態で下筐体１Ａが机等の被載置物上に水平に置かれたことが検出された場合で、ある特定のアプリケーションが起動していれば、携帯電話機１の操作方法及び表示内容を起動中のアプリケーションに応じた操作及び表示に切替えるための切替信号を表示切替部１１３及び操作切替部１１２に入力する。
【００４０】
操作切替部１１２は、置き状態検出部１１１の出力信号とアプリケーションの起動状態に応じて入力デバイス９をタッチパッド又はキーパッドとして動作させる。すなわち、ある特定のアプリケーションが起動しているときに、携帯電話機１が上筐体１Ｂを開いた状態で下筐体１Ａが机等の被載置物上に水平に置かれたことが検出された場合にはタッチパッドとして動作させ、ユーザが手に持ったことが検出された場合にはキーパッドとして動作させる。なお、机等の被載置物上に水平に置かれた状態とは、前述した図４に示す状態である。また、ユーザが手に持った状態とは、図５に示す状態である。
【００４１】
図１において、表示切替部１１３は、置き状態検出部１１１の出力信号に応じて操作キー８の側面ボタン８Ｂを入力デバイス９に割り当てる。例えば、携帯電話機１の下筐体１Ａの側面に、チャンネル切替ボタン、ボリュームボタン、録画ボタン等のテレビ視聴時に使用する各種ボタンが取り付けられている場合、携帯電話機１を机等の被載置物上に置くとそれらのボタンが操作し難くなる。そこで、ディスプレイ７Ａの表示画面に携帯電話機１の側面ボタン８Ｂの代わりとなるソフトキーを表示すると共にポインタ５０を表示し、下筐体１Ａのタッチパッドを操作することで、側面の各種ボタンを操作することなく同様の操作をできるようにしている。なお、携帯電話機１の側面の各種ボタンの他に、背面ボタン（図示略）や上筐体１Ｂに実装されるボタンやタッチセンサ（共に図示略）においても同様の切替えを行えるようにすることも可能である。
【００４２】
タッチパッドとして動作する入力デバイス９を指でなぞってポインタ５０をソフトキーにまで持って行き、操作キー８の正面ボタン８Ａの１つを操作することで、ソフトキーを押下することができる。また、図６に示すように、タッチパッドを丸く円を描くようになぞる操作を行うことでチャンネルの切替えを行うことができる。また、図７に示すように、タッチパッドを上下に直線を描くようになぞる操作を行うことでボリュームのアップ／ダウンを行うことができる。タッチパッドを使用したチャンネルの切替え、ボリュームアップ／ダウン、録画等は、制御部１１がタッチパネルの出力信号に基づいて行う。携帯電話機１が机等の被載置物上に置かれた状態では、下筐体１Ａの表示は斜めから見ることになり見難いが、タッチパッドによる操作では、表示は関係ないため、そのような問題を回避できる。
【００４３】
また、携帯電話機１が机等の被載置物上に置かれた状態で、テレビを起動したときはキー押下の判断にキーパッドを利用するのではなく、図８に示すように、タッチパッドによって指が接触したことをキー押下とすることで、キー入力を可能とする。携帯電話機１が机等の被載置物上に置かれた状態では、キーパッドによるキー入力では筐体を押さえながら操作しないと、携帯電話機１がぐらぐらしてしまう。これに対して、タッチパッドの入力の場合、力を入れての操作を必要としないため、ぐらぐらするような問題を回避できる。
【００４４】
また、携帯電話機１が机等の被載置物上に置かれた状態で、ブラウザを起動したときは、図９に示すように、拡大表示とする。携帯電話機１が机等の被載置物上に置かれた状態では、携帯電話機１を手で持っている場合と比べ、視線距離（目と表示画面との間の距離）が長くなるが、拡大表示することで見易さが向上する。
【００４５】
なお、携帯電話機１を手で持つ場合、しっかり把持して親指で操作することが多いが、携帯電話機１を机等の被載置物上に置いた場合は、人差し指（又は中指、薬指）での操作が多い。ここで、携帯電話機１を手で持つ場合、しっかり把持できるため、タッチパッドによる操作を力を入れて行うことができる。しかしながら、携帯電話機１を机等の非載置物上に置いて人差し指で操作する場合、力を入れてタッチパッドを操作すると携帯電話機１が不安定でぐらぐらするといった問題が発生しうる。そこで、例えば、携帯電話機１が非載置物上に置かれている場合は、タッチパッドの押下検出の閾値を携帯電話機１を手で持つ場合よりも下げるようにする。このようにすることで、力をかけないで押下することが可能となる。
【００４６】
また、携帯電話機１を机等の被載置物上に置いた場合に、携帯電話機１の下筐体１Ａの側面のチャンネル切替ボタン、ボリュームボタン、録画ボタン等の各種ボタンの操作を無効にすることで、省電力化が図れる。
【００４７】
次に、本実施の形態の携帯電話機１の動作を説明する。図１０は、本実施の形態の携帯電話機１の制御部１１の置き状態検出処理を示すフローチャートである。この図において、まず開閉センサ１０３の出力信号を元に上筐体１Ｂが開いているか否かを判定する（ステップＳＴ１０）。上筐体１Ｂが開いていなければ、開くまでこの判定を繰り返し、上筐体１Ｂが開いていれば、照度センサ１０２の出力を元に下筐体１Ａの底面が何かに接触しているかどうか判定する（ステップＳＴ１１）。下筐体１Ａの底面が何にも接触していなければ、ステップＳＴ１０に戻り、下筐体１Ａの底面が何かに接触していれば、水平センサ１０１の出力信号を元に携帯電話機１が水平であるかどうか判定する（ステップＳＴ１２）。携帯電話機１が水平になっていなければ、ステップＳＴ１０に戻り、水平になっていれば、経過時間を記憶する（ステップＳＴ１３）。
【００４８】
次いで、一定時間を経過したかどうか判定し（ステップＳＴ１４）、一定時間を経過していない場合は、携帯電話機１の状態に変化があったかどうかか判定する（ステップＳＴ１５）。すなわち、携帯電話機１が机等の被載置物上に置かれたかどうかを判定する。一定時間内で携帯電話機１の状態に変化があれば、携帯電話機１が机等の被載置物上に置かれてないものとして経過時間のリセットを行い（ステップＳＴ１６）、ステップＳＴ１０に戻る。これに対して、ステップＳＴ１４の判定で一定時間を超えていれば、携帯電話機１が机等の被載置物上に置かれたものとして、ステップＳＴ１７に進む。
【００４９】
ステップＳＴ１７に進むと、テレビを見るアプリケーションが起動されたかどうか判定し、当該アプリケーションが起動された場合は、デスクトップモードで、テレビ対応の切替信号を出力する（ステップＳＴ１８）。この切替信号を出力した後、本処理を終える。テレビ対応の切替信号は、上述したように、携帯電話機１の下筐体１Ａの側面のチャンネル切替ボタン、ボリュームボタン、録画ボタン等のテレビ視聴時に使用する各種ボタンの機能をタッチパッドで操作する信号である。ここで、図１１に操作切替処理のフローチャートを示す。この図において、まずディスクトップモードで、テレビ対応の切替信号がオン（ＯＮ）かどうか判定し（ステップＳＴ３０）、オンであればタッチパッドからの入力を可能とし（ステップＳＴ３１）、オフであればキーパッドからの入力を可能とする（ステップＳＴ３２）。
【００５０】
図１０に戻り、テレビを見るアプリケーションが起動されていない場合は、ビューアのアプリケーションが起動されたかどうか判定する（ステップＳＴ１９）。ビューアのアプリケーションが起動された場合は、デスクトップモードで、ビューア対応の切替信号を出力する（ステップＳＴ２０）。この切替信号を出力した後、本処理を終える。
【００５１】
また、テレビを見るアプリケーションの起動でもビューアのアプリケーションの起動でもなければ、ブラウザのアプリケーションが起動されたかどうか判定する（ステップＳＴ２１）。ブラウザのアプリケーションが起動された場合は、デスクトップモードで、ブラウザ対応の切替信号を出力する（ステップＳＴ２２）。この切替信号を出力した後、本処理を終える。ブラウザ対応のユーザインタフェースは、例えば拡大表示とする。
【００５２】
このように本実施の形態の携帯電話機１によれば、水平センサ１０１で携帯電話機１の下筐体１Ａの水平状態を検出し、また照度センサ１０２で携帯電話機１の下筐体１Ａの机等の被載置物への接触を検出し、また開閉センサ１０３で携帯電話機１の上筐体１Ｂの開きを検出し、また現在動作中のアプリケーションを読み取り、前述の各検出結果及び動作中のアプリケーションに基づいて、携帯電話機１の操作方法及び表示内容を切替えるので、携帯電話機１を机等の被載置物上に置いて使用するディスクトップモード時の操作性及び表示の見やすさの低下を防止できる。特に、アプリケーションに応じた操作、表示に切替えることで操作性が向上する。また、机の上に置いて操作するいわゆるパソコンなどの装置の操作仕様や表示仕様に類似させることで、慣れた操作例えば人差し指での操作が可能になる。
【００５３】
なお、上記実施の形態では、携帯電話機１の下筐体１Ａの底面が何かに触れていることの検出に照度センサ１０２を用いたが、その他、カメラや機械式のスイッチ（底面接触感知スイッチ）などを用いてもよい。
【００５４】
また、上記実施の形態では、携帯電話機１の上筐体１Ｂが開かれたことの検出に開閉センサ１０３を用いたが、その他に、機械式の開閉スイッチや磁気センサなどを用いてもよい。
【００５５】
また、上記実施の形態では、折り畳み式の携帯電話機１について記載したが、それに限定するものではなく、回転２軸、Ｌ字、サイクロイド、縦横開き、ターン、縦スライド、横スライド、ストレート、１画面タッチパネル型の携帯電話機にも勿論適用することができる。因みに図１２は、スライド＆チルト式の携帯電話機を示す正面図である。
【産業上の利用可能性】
【００５６】
本発明は、携帯端末装置を机等の被載置物に置いて使用する場合に、アプリケーションを快適に使用することができるといった効果を有し、静止画・動画等を「見る」ためのアプリケーション、インターネットのホームページを「見る」ためのアプリケーション、テレビを「見る」ためのアプリケーションを実行可能な携帯電話機等への適用が可能である。
【図面の簡単な説明】
【００５７】
【図１】本発明の一実施の形態に係る携帯電話機の概略構成を示すブロック図
【図２】図１の携帯電話機を示す正面図
【図３】図１の携帯電話機の状態検出センサ、置き状態検出部及びメイン制御部を示すブロック図
【図４】図１の携帯電話機が机等の被載置物に置かれている状態を示す図
【図５】図１の携帯電話機を手で把持して操作している状態を示す図
【図６】図１の携帯電話機のタッチパッドを使用したチャンネル切替操作を示す図
【図７】図１の携帯電話機のタッチパッドを使用したボリューム調整操作を示す図
【図８】図１の携帯電話機のタッチパッドを使用したキー入力操作を示す図
【図９】図１の携帯電話機でブラウザを起動する前と起動後の表示の切替えを示す図
【図１０】図１の携帯電話機における置き状態検出処理を説明するためのフローチャート
【図１１】図１の携帯電話機における操作切替処理を説明するためのフローチャート
【図１２】本発明を適用可能なスライド＆チルト式の携帯電話機を示す正面図
【符号の説明】
【００５８】
１  携帯電話機
１Ａ  下筐体
１Ｂ  上筐体
２  アンテナ
３  無線部
４  マイク
５  スピーカ
６  メモリ
７  表示部
７Ａ  ディスプレイ
８  操作キー
８Ａ  正面ボタン
８Ｂ  側面ボタン
９  入力デバイス
１０  状態検出センサ
１１  制御部
４０  ソフトキー
５０  ポインタ
１０１  水平センサ
１０２  照度センサ
１０３  開閉センサ
１０４  加速度センサ
１１１  置き状態検出部
１１２  操作切替部
１１３  表示切替部
１１４  メイン制御部
【図１】
2010062849.tif 000003
【図２】
2010062849.tif 000004
【図３】
2010062849.tif 000005
【図４】
2010062849.tif 000006
【図５】
2010062849.tif 000007
【図６】
2010062849.tif 000008
【図７】
2010062849.tif 000009
【図８】
2010062849.tif 000010
【図９】
2010062849.tif 000011
【図１０】
2010062849.tif 000012
【図１１】
2010062849.tif 000013
【図１２】
2010062849.tif 000014